(57)【要約】【課題】簡単な構成で、配管を有効に簡素化するとともに、圧損の低減を図ることを可能にする。【解決手段】燃料電池システム１０は、燃料電池１２と加湿器１４とを積層方向にスタックして構成される。燃料電池１２は、反応前の空気が供給される酸化剤ガス供給連通孔２６ａと、反応後の空気オフガスが排出される酸化剤ガス排出連通孔２６ｂとを備える。加湿器１４は、反応前の空気を燃料電池１２に送る空気出口連通孔４８ｂと、前記燃料電池１２から空気オフガスが排出される空気オフガス入口連通孔５０ａとを備える。酸化剤ガス供給連通孔２６ａと空気出口連通孔４８ｂ、及び酸化剤ガス排出連通孔２６ｂと空気オフガス入口連通孔５０ａは、それぞれ積層方向に沿って同一直線上に配置される。【選択図】図６
2007095352.tif 000002
【特許請求の範囲】
【請求項１】
電解質膜の両側に電極を設けた電解質膜・電極構造体と、セパレータとを積層し、反応ガスである燃料ガス及び酸化剤ガスが供給されるとともに、冷却媒体が供給される固体高分子型燃料電池と、前記固体高分子型燃料電池に供給される少なくとも一方の反応ガスを、加湿流体によって加湿する水透過性膜を設ける平膜型加湿器とが、積層方向にスタックされる燃料電池システムであって、
前記平膜型加湿器は、加湿された前記一方の反応ガスを前記固体高分子型燃料電池に供給する反応ガス出口連通孔を前記積層方向に貫通して設け、
前記固体高分子型燃料電池は、加湿された前記一方の反応ガスが導入される反応ガス供給連通孔を前記積層方向に設けるとともに、
前記反応ガス出口連通孔と前記反応ガス供給連通孔とは、前記積層方向に沿って同一直線上に配置されることを特徴とする燃料電池システム。
【請求項２】
電解質膜の両側に電極を設けた電解質膜・電極構造体と、セパレータとを積層し、反応ガスである燃料ガス及び酸化剤ガスが供給されるとともに、冷却媒体が供給される固体高分子型燃料電池と、前記固体高分子型燃料電池に供給される少なくとも一方の反応ガスを、加湿流体によって加湿する水透過性膜を設ける平膜型加湿器とが、積層方向にスタックされる燃料電池システムであって、
前記平膜型加湿器は、前記固体高分子型燃料電池から前記加湿流体であるオフガスが排出されるオフガス入口連通孔を前記積層方向に貫通して設け、
前記固体高分子型燃料電池は、前記オフガスを排出するオフガス排出連通孔を前記積層方向に設けるとともに、
前記オフガス入口連通孔と前記オフガス排出連通孔とは、前記積層方向に沿って同一直線上に配置されることを特徴とする燃料電池システム。
【発明の詳細な説明】
【技術分野】
【０００１】
本発明は、固体高分子型燃料電池と、前記固体高分子型燃料電池に供給される一方の反応ガスを、加湿流体によって加湿する水透過性膜を設ける平膜型加湿器とが、積層方向にスタックされる燃料電池システムに関する。
【背景技術】
【０００２】
通常、固体高分子型燃料電池は、高分子イオン交換膜からなる電解質膜の両側に、それぞれアノード側電極及びカソード側電極を配設した電解質膜・電極構造体を、セパレータによって挟持した発電セルを備えている。この種の燃料電池は、通常、所定の数の発電セルを積層することにより、燃料電池スタックとして使用されている。
【０００３】
上記の燃料電池では、有効な発電機能を発揮させるために、電解質膜を適度な湿潤状態に維持することが必要とされている。このため、燃料ガスや酸化剤ガスを、予め水を介して加湿する加湿装置を用意し、この加湿装置を燃料電池に連結することにより、前記加湿された燃料ガスや酸化剤ガスを燃料電池に供給する構成が知られている。
【０００４】
例えば、特許文献１に開示されている燃料電池スタックは、図１８に示すように、発電ユニット１と加湿ユニット２とを積層方向に組み付けて構成されている。発電ユニット１は、複数のセル１ａを積層する一方、加湿ユニット２は、水素ガスを加湿する水素ガス加湿器２ａと、酸素含有ガス（空気）を加湿する酸素含有ガス加湿器２ｂとを有する。
【０００５】
水素ガス加湿器２ａは、多孔質膜３ａの両面に水素ガス流路４ａ及び水流路４ｂが形成されるとともに、酸素含有ガス加湿器２ｂは、多孔質膜３ｂの両側に酸素ガス流路４ｃ及び水流路４ｄが形成されている。各セル１ａの冷却水流路（図示せず）には、ポンプ５を介して水通路５ａから冷却水が供給され、前記セル１ａの冷却水出口側には、水通路５ｂが接続されている。この水通路５ｂは、加湿ユニット２の水流路４ｂ、４ｄに連通している。
【０００６】
加湿ユニット２の水素ガス流路４ａには、ブロア６を介して水素ガスが水素ガス通路６ａから送られるとともに、前記水素ガス流路４ａの出口側には、水素ガス通路６ｂを介して各セル１ａの水素ガス流路（図示せず）が連通している。加湿ユニット２の酸素ガス流路４ｃには、ブロア７を介して空気が酸素ガス通路７ａから送られる一方、前記酸素ガス流路４ｃの出口側には、酸素ガス通路７ｂを介して各セル１ａの酸素ガス流路（図示せず）が連通している。
【０００７】
【特許文献１】特開平８−１３８７０４号公報（図１）
【発明の開示】
【発明が解決しようとする課題】
【０００８】
ところで、上記の燃料電池スタックでは、水通路５ａ、５ｂ、水素ガス通路６ａ、６ｂ及び酸素ガス通路７ａ、７ｂをスタック外部に設けられた外部マニホールド型で燃料電池スタックを構成しようとすると、配管が煩雑になるとともに、屈曲する配管内で圧損が増加するという問題がある。
【０００９】
本発明はこの種の問題を解決するものであり、簡単な構成で、配管を有効に簡素化するとともに、圧損の低減を図ることが可能な燃料電池システムを提供することを目的とする。
【課題を解決するための手段】
【００１０】
本発明は、電解質膜の両側に電極を設けた電解質膜・電極構造体と、セパレータとを積層し、反応ガスである燃料ガス及び酸化剤ガスが供給されるとともに、冷却媒体が供給される固体高分子型燃料電池と、前記固体高分子型燃料電池に供給される少なくとも一方の反応ガスを、加湿流体によって加湿する水透過性膜を設ける平膜型加湿器とが、積層方向にスタックされる燃料電池システムである。
【００１１】
平膜型加湿器は、加湿された一方の反応ガスを固体高分子型燃料電池に供給する反応ガス出口連通孔を積層方向に貫通して設け、前記固体高分子型燃料電池は、加湿された前記一方の反応ガスが導入される反応ガス供給連通孔を前記積層方向に設けるとともに、前記反応ガス出口連通孔と前記反応ガス供給連通孔とは、前記積層方向に沿って同一直線上に配置されている。
【００１２】
また、本発明では、平膜型加湿器は、固体高分子型燃料電池から加湿流体であるオフガスが排出されるオフガス入口連通孔を積層方向に貫通して設け、前記固体高分子型燃料電池は、前記オフガスを排出するオフガス排出連通孔を前記積層方向に設けるとともに、前記オフガス入口連通孔と前記オフガス排出連通孔とは、前記積層方向に沿って同一直線上に配置されている。
【発明の効果】
【００１３】
本発明では、平膜型加湿器の反応ガス出口連通孔と固体高分子型燃料電池の反応ガス供給連通孔とが、同一直線上に配置されるため、反応ガスの円滑な流れが遂行されて圧損を良好に低減させることができる。しかも、簡単な構成で、配管を有効に簡素化することが可能になる。
【００１４】
また、本発明では、固体高分子型燃料電池のオフガス排出連通孔と平膜型加湿器のオフガス入口連通孔とが、同一直線上に配置されるため、オフガスの円滑な流れが遂行されて圧損を良好に低減させることができる。しかも、簡単な構成で、配管を有効に簡素化することが可能になる。
【発明を実施するための最良の形態】
【００１５】
図１は、本発明の第１の実施形態に係る燃料電池システム１０の概略構成説明図であり、図２は、前記燃料電池システム１０の概略斜視図である。
【００１６】
燃料電池システム１０は、例えば、自動車等の燃料電池車両に搭載されており、固体高分子型燃料電池１２と、平膜型加湿器１４とを積層方向（矢印Ａ方向）にスタックして構成される。燃料電池１２は、複数の発電セル１６を矢印Ａ方向に積層するとともに、積層方向両端にターミナルプレート１７ａ、１７ｂ及び絶縁プレート１９ａ、１９ｂを介装して第１及び第２エンドプレート１８ａ、１８ｂが配置される。
【００１７】
第２エンドプレート１８ｂには、加湿器１４が直接積層される。加湿器１４を構成する第３エンドプレート１８ｃは、第１エンドプレート１８ａに対し、第２エンドプレート１８ｂを介装して複数の締め付けボルト２１により積層方向に締め付けられる（図２参照）。
【００１８】
図１及び図３に示すように、発電セル１６は、固体高分子電解質膜２０ａの両側にアノード側電極２０ｂとカソード側電極２０ｃとを配置した電解質膜・電極構造体２０と、前記電解質膜・電極構造体２０を挟持する一対の金属製又はカーボン製セパレータ２２、２４とを備える。
【００１９】
図３に示すように、発電セル１６の長辺方向（矢印Ｂ方向）の一端縁部には、矢印Ａ方向に互いに連通して、酸化剤ガス、例えば、酸素含有ガスを供給するための酸化剤ガス供給連通孔（反応ガス供給連通孔）２６ａ、及び燃料ガス、例えば、水素含有ガスを排出するための燃料ガス排出連通孔（オフガス排出連通孔）３０ｂが設けられる。
【００２０】
発電セル１６の長辺方向の他端縁部には、矢印Ａ方向に互いに連通して、燃料ガスを供給するための燃料ガス供給連通孔（反応ガス供給連通孔）３０ａ、及び酸化剤ガスを排出するための酸化剤ガス排出連通孔（オフガス排出連通孔）２６ｂが設けられる。
【００２１】
発電セル１６の短手方向（矢印Ｃ方向）の一端縁部には、冷却媒体を供給するための冷却媒体供給連通孔２８ａが設けられるとともに、前記発電セル１６の短手方向の他端縁部には、冷却媒体を排出するための冷却媒体排出連通孔２８ｂが設けられる。
【００２２】
セパレータ２２の電解質膜・電極構造体２０に向かう面には、燃料ガス供給連通孔３０ａと燃料ガス排出連通孔３０ｂとを連通する燃料ガス流路３２が形成される。セパレータ２２の反対側の面には、冷却媒体供給連通孔２８ａと冷却媒体排出連通孔２８ｂとを連通する冷却媒体流路３４が形成される。
【００２３】
セパレータ２４の電解質膜・電極構造体２０に向かう面には、酸化剤ガス供給連通孔２６ａと酸化剤ガス排出連通孔２６ｂとに連通する酸化剤ガス流路３６が設けられる。セパレータ２４の反対側の面には、セパレータ２２と重なり合って冷却媒体流路３４が一体的に形成される。
【００２４】
図４及び図５に示すように、加湿器１４は、水透過性膜４０の一方の面４０ａに配設される第１セパレータ４２と、前記水透過性膜４０の他方の面４０ｂに配設される第２セパレータ４４とを備える。第１及び第２セパレータ４２、４４は、水透過性膜４０を介装して交互に矢印Ａ方向に積層されて積層体４６を構成する。第１及び第２セパレータ４２、４４は、金属製プレートを波形状に成形して構成される。なお、この第１及び第２セパレータ４２、４４は、例えば、カーボンプレートに削り加工等を施して構成してもよい。
【００２５】
図４に示すように、積層体４６の矢印Ｂ方向の一端縁部には、互いに矢印Ａ方向に貫通して、反応前の空気（一方の反応ガス）を導入する空気入口連通孔４８ａと、加湿された反応前の空気を燃料電池１２に供給する空気出口連通孔（反応ガス出口連通孔）４８ｂとが矢印Ｃ方向に配列して形成される。
【００２６】
図６に示すように、燃料電池１２の酸化剤ガス供給連通孔２６ａと加湿器１４の空気出口連通孔４８ｂとは、積層方向（矢印Ａ方向）に沿って同一直線上に配置される。同一直線上とは、酸化剤ガス供給連通孔２６ａの中心と空気出口連通孔４８ｂの中心とが積層方向に一致していることをいう。また、酸化剤ガス供給連通孔２６ａと空気出口連通孔４８ｂとは、同一の寸法に設定されることが好ましい。
【００２７】
図４に示すように、積層体４６の矢印Ｂ方向の他端縁部には、矢印Ａ方向に互いに連通して、空気オフガスが供給される空気オフガス入口連通孔５０ａと、反応前の空気を加湿した後の前記空気オフガスを排出する空気オフガス出口連通孔５０ｂとが矢印Ｃ方向に配列して設けられる。図６に示すように、燃料電池１２の酸化剤ガス排出連通孔２６ｂと加湿器１４の空気オフガス入口連通孔５０ａとは、積層方向（矢印Ａ方向）に沿って同一直線上に配置される。
【００２８】
第１セパレータ４２は、水透過性膜４０の一方の面４０ａに向かう第１面４２ａ側に、空気入口連通孔４８ａと空気出口連通孔４８ｂとを連通し、略Ｕ字状に屈曲乃至湾曲する複数の溝部を有する第１流路５２を設ける。
【００２９】
第１セパレータ４２の第１面４２ａとは反対の第２面４２ｂ側には、空気入口連通孔４８ａと空気出口連通孔４８ｂとを連通し、略Ｕ字状の複数の溝部を有する第２流路５４が設けられる。この第２流路５４は、第１流路５２と交互に形成され、全体として波形状を有している（図５参照）。
【００３０】
第２セパレータ４４は、水透過性膜４０の他方の面４０ｂに向かう面４４ａ側に空気オフガス入口連通孔５０ａと空気オフガス出口連通孔５０ｂとを連通する略Ｕ字状の複数の溝部を有する第３流路５６を設ける。
【００３１】
第２セパレータ４４は、面４４ａとは反対の面４４ｂ側に、空気オフガス入口連通孔５０ａと空気オフガス出口連通孔５０ｂとを連通する略Ｕ字状の複数の溝部を有する第４流路５８を設ける。この第４流路５８は、第３流路５６と交互に配設される。
【００３２】
図１に示すように、燃料電池システム１０は、加湿器１４側に設けられる酸化剤ガス供給系７０と、燃料電池１２側に設けられる燃料ガス供給系７２及び冷却媒体供給系７４とを備える。
【００３３】
酸化剤ガス供給系７０は、第３エンドプレート１８ｃに接続されて加湿器１４の空気入口連通孔４８ａに空気を供給する空気供給流路７６と、前記加湿器１４の空気オフガス出口連通孔５０ｂから排出される空気オフガスを、外部に排気するための空気排出流路７８とを備える。空気供給流路７６には、空気を圧縮して供給するためにスーパーチャージャ（又はポンプ）８０が設けられる。
【００３４】
燃料ガス供給系７２は、第１エンドプレート１８ａに接続されて燃料電池１２の燃料ガス供給連通孔３０ａに水素ガスを供給するための水素供給流路８２と、前記燃料電池１２の燃料ガス排出連通孔３０ｂから排出される未使用の水素ガスを含む排ガスを、前記水素供給流路８２の途上に戻して該燃料電池１２に供給するための水素循環流路８４とを備える。
【００３５】
水素供給流路８２には、高圧水素を貯留する水素タンク８６と、前記水素タンク８６から供給される水素ガスの圧力を減圧するレギュレータ８８と、減圧された前記水素ガスを燃料電池１２に供給するとともに、水素循環流路８４から排ガスを吸引して前記燃料電池１２に戻すためのエゼクタ９０とが配設される。
【００３６】
冷却媒体供給系７４は、第１エンドプレート１８ａに接続されて燃料電池１２の冷却媒体供給連通孔２８ａに冷却媒体を供給するための冷却媒体供給流路９２と、前記燃料電池１２の冷却媒体排出連通孔２８ｂから排出される冷却媒体を冷却媒体タンク９４に戻す冷却媒体循環流路９６と、前記冷却媒体タンク９４内の前記冷却媒体を循環させるポンプ９８とを備える。
【００３７】
このように構成される燃料電池システム１０の動作について、以下に説明する。
【００３８】
図１に示すように、水素タンク８６から水素供給流路８２に供給される水素ガスは、レギュレータ８８を介して所定の圧力に減圧された後、エゼクタ９０を通って燃料電池１２の燃料ガス供給連通孔３０ａに供給される。
【００３９】
図３に示すように、水素ガスは、各発電セル１６を構成する燃料ガス流路３２に沿って矢印Ｂ方向に移動し、アノード側電極２０ｂに供給された後、未使用の水素を含む燃料オフガスが、燃料ガス排出連通孔３０ｂに排出される。この燃料オフガスは、図１に示すように、水素循環流路８４に排出されてエゼクタ９０の吸引作用下に水素供給流路８２に途上に戻された後、再度、燃料電池１２に燃料ガスとして供給される。
【００４０】
一方、スーパーチャージャ８０を介して、空気供給流路７６に空気が供給される。この空気は、第３エンドプレート１８ｃから加湿器１４を構成する積層体４６の空気入口連通孔４８ａに供給される。
【００４１】
図４に示すように、加湿器１４では、第１セパレータ４２の第１及び第２流路５２、５４が空気入口連通孔４８ａに連通している。この空気入口連通孔４８ａに導入された空気は、略Ｕ字状の第１及び第２流路５２、５４に沿って移動する。第１流路５２を流れる空気は、水透過性膜４０の一方の面４０ａに接触するとともに、第２流路５４に沿って移動する空気は、他の水透過性膜４０の他方の面４０ｂに接触する（図５参照）。
【００４２】
加湿器１４では、燃料電池１２の発電に使用された反応済みの空気である空気オフガスが、空気オフガス入口連通孔５０ａに供給される。この空気オフガスは、第２セパレータ４４の空気オフガス入口連通孔５０ａに連通する第３及び第４流路５６、５８に導入される。第３流路５６を移動する空気オフガスは、水透過性膜４０の他方の面４０ｂに接触する一方、第４流路５８に沿って移動する空気オフガスは、他の水透過性膜４０の一方の面４０ａに接触する（図５参照）。
【００４３】
従って、第２セパレータ４４の第３流路５６に沿って移動する空気オフガス中の水分は、水透過性膜４０を透過し第１流路５２に沿って移動する反応前の空気に供給され、この空気が加湿される。さらに、第２流路５４に沿って移動する反応前の空気は、第４流路５８に沿って移動する空気オフガス中の水分により加湿される。そして、加湿された空気は、第１及び第２流路５２、５４に連通する空気出口連通孔４８ｂから燃料電池１２の酸化剤ガス供給連通孔２６ａに供給される。
【００４４】
図３に示すように、加湿された空気は、各発電セル１６のセパレータ２４に形成される酸化剤ガス流路３６を流れることによって、カソード側電極２０ｃに供給される。未使用の空気を含む空気オフガスは、上記のように、加湿器１４内で加湿処理に用いられた後、空気オフガス出口連通孔５０ｂに排出される。これにより、各発電セル１６では、アノード側電極２０ｂに供給される水素と、カソード側電極２０ｃに供給される空気中の酸素とが反応して発電が行われる。
【００４５】
また、図１に示すように、冷却媒体供給系７４では、ポンプ９８の作用下に冷却媒体タンク９４内の冷却媒体が、冷却媒体供給流路９２から燃料電池１２の冷却媒体供給連通孔２８ａに供給される。この冷却媒体は、図３に示すように、セパレータ２２、２４間に形成される冷却媒体流路３４を通ることによって各発電セル１６を冷却した後、冷却媒体排出連通孔２８ｂから冷却媒体循環流路９６に排出され、冷却媒体タンク９４に戻される。
【００４６】
この場合、第１の実施形態では、図６に示すように、燃料電池１２の酸化剤ガス供給連通孔２６ａと加湿器１４の空気出口連通孔４８ｂとは、積層方向に沿って同一直線上に配置されている。このため、加湿された空気が、空気出口連通孔４８ｂから酸化剤ガス供給連通孔２６ａに円滑に流れて圧損を良好に低減させることができ、前記加湿された空気を燃料電池１２に効率的に供給することが可能になる。
【００４７】
さらに、燃料電池１２の酸化剤ガス排出連通孔２６ｂと加湿器１４の空気オフガス入口連通孔５０ａとは、積層方向に沿って同一直線上に配置されている。従って、燃料電池１２で反応に使用された空気である空気オフガスは、圧損等を惹起することがなく、空気オフガス入口連通孔５０ａに円滑に供給される。これにより、加湿器１４における加湿処理が効率的且つ良好に遂行されるとともに、簡単な構成で、配管の簡略化を図ることができるという効果が得られる。
【００４８】
図７は、本発明の第２の実施形態に係る燃料電池システム１００の概略斜視説明図である。
【００４９】
なお、第１の実施形態に係る燃料電池システム１０と同一の構成要素には、同一の参照符号を付してその詳細な説明は省略する。また、以下に説明する第３〜第５の実施形態においても同様に、その詳細な説明は省略する。
【００５０】
燃料電池システム１００は、固体高分子型燃料電池１０２と平膜型加湿器１０４とを備える。燃料電池１０２は、矢印Ａ方向に積層される発電セル１０６を設けるとともに、前記発電セル１０６は、図８に示すように、電解質膜・電極構造体２０を挟持するセパレータ１０８、１１０を備える。
【００５１】
発電セル１０６の長辺方向の一端縁部には、矢印Ａ方向に互いに連通して、燃料ガス排出連通孔３０ｂ及び酸化剤ガス供給連通孔２６ａが設けられる。発電セル１０６の長辺方向の他端縁部には、矢印Ａ方向に互いに連通して、燃料ガス供給連通孔３０ａ及び酸化剤ガス排出連通孔２６ｂが設けられる。
【００５２】
セパレータ１０８の電解質膜・電極構造体２０に向かう面には、矢印Ｃ方向上方に配置された燃料ガス供給連通孔３０ａと燃料ガス排出連通孔３０ｂとを連通する燃料ガス流路３２が形成される。セパレータ１１０の電解質膜・電極構造体２０に向かう面には、矢印Ｃ方向下方に配置された酸化剤ガス供給連通孔２６ａと酸化剤ガス排出連通孔２６ｂとに連通する酸化剤ガス流路３６が設けられる。
【００５３】
図９に示すように、加湿器１０４は、水透過性膜１１２の一方の面１１２ａに配設される第１セパレータ１１４と、前記水透過性膜１１２の他方の面１１２ｂに配設される第２セパレータ１１６とを設ける。
【００５４】
第１及び第２セパレータ１１４、１１６は、水透過性膜１１２を介装して交互に矢印Ａ方向に積層されることにより積層体１１８を構成する。積層体１１８の矢印Ｂ方向の一端縁部には、空気オフガス出口連通孔５０ｂ及び空気出口連通孔４８ｂが設けられる。積層体１１８の矢印Ｂ方向の他端縁部には、空気入口連通孔４８ａ及び空気オフガス入口連通孔５０ａが設けられる。
【００５５】
第１セパレータ１１４の両面には、空気入口連通孔４８ａと空気出口連通孔４８ｂとを連通し、矢印Ｂ方向に一往復半だけ折り返すサーペンタイン流路である第１及び第２流路１２０、１２２が設けられる。第２セパレータ１１６の両面には、空気オフガス入口連通孔５０ａと空気オフガス出口連通孔５０ｂとを連通し、矢印Ｂ方向に一往復半だけ折り返すサーペンタイン流路である第３及び第４流路１２４、１２６が設けられる。
【００５６】
発電セル１０６の酸化剤ガス供給連通孔２６ａと加湿器１０４の空気出口連通孔４８ｂ、及び前記発電セル１０６の酸化剤ガス排出連通孔２６ｂと前記加湿器１０４の空気オフガス入口連通孔５０ａとは、それぞれ積層方向（矢印Ａ方向）に沿って同一直線上に配置される。
【００５７】
このように構成される第２の実施形態では、反応前の空気が第１及び第２流路１２０、１２２を流れる一方、空気オフガスが第３及び第４流路１２４、１２６を流れることにより、前記反応前の空気が加湿される。加湿された空気は、空気出口連通孔４８ｂから発電セル１０６の酸化剤ガス供給連通孔２６ａに供給されるとともに、前記発電セル１０６で反応後の空気オフガスは、酸化剤ガス排出連通孔２６ｂから空気オフガス入口連通孔５０ａに排出される。
【００５８】
その際、酸化剤ガス供給連通孔２６ａと空気出口連通孔４８ｂ、及び酸化剤ガス排出連通孔２６ｂと空気オフガス入口連通孔５０ａとは、それぞれ積層方向に沿って同一直線上に配置されている。従って、圧損の低減が容易に図られる等、第１の実施形態と同様の効果が得られる。
【００５９】
図１０は、本発明の第３の実施形態に係る燃料電池システム１３０の概略斜視説明図である。
【００６０】
燃料電池システム１３０は、固体高分子型燃料電池１３２と平膜型加湿器１３４とを備える。燃料電池１３２は、矢印Ａ方向に積層される発電セル１３６を設けるとともに、前記発電セル１３６は、図１１に示すように、電解質膜・電極構造体２０を挟持するセパレータ１３８、１４０を備える。
【００６１】
発電セル１３６の長辺方向の一端縁部には、矢印Ａ方向に互いに連通して、燃料ガス供給連通孔３０ａ及び酸化剤ガス排出連通孔２６ｂが設けられる。発電セル１３６の長辺方向の他端縁部には、矢印Ａ方向に互いに連通して、燃料ガス排出連通孔３０ｂ及び酸化剤ガス供給連通孔２６ａが設けられる。
【００６２】
図１２に示すように、加湿器１３４は、水透過性膜１４２を挟んで第１及び第２セパレータ１４４、１４６が配設され、これらが積層されて積層体１４８が構成される。積層体１４８の矢印Ｂ方向の一端縁部には、空気入口連通孔４８ａ及び空気オフガス入口連通孔５０ａが設けられる。積層体１４８の矢印Ｂ方向の他端縁部には、空気オフガス出口連通孔５０ｂ及び空気出口連通孔４８ｂが設けられる。
【００６３】
第１セパレータ１４４の両面には、サーペンタイン流路である第１及び第２流路１５０、１５２が設けられ、第２セパレータ１４６の両面には、サーペンタイン流路である第３及び第４流路１５４、１５６が設けられる。
【００６４】
発電セル１３６の酸化剤ガス供給連通孔２６ａと加湿器１３４の空気出口連通孔４８ｂ、及び前記発電セル１３６の酸化剤ガス排出連通孔２６ｂと前記加湿器１３４の空気オフガス入口連通孔５０ａとは、それぞれ積層方向（矢印Ａ方向）に沿って同一直線上に配置される。
【００６５】
この第３の実施形態では、上記の第２の実施形態と同様に、空気及び空気オフガスの圧損を良好に低減することができる等の効果が得られる。
【００６６】
図１３は、本発明の第４の実施形態に係る燃料電池システム１６０の概略斜視説明図である。
【００６７】
燃料電池システム１６０は、燃料電池１２と平膜型加湿器１６２とを備える。図１４に示すように、加湿器１６２は、水透過性膜１６４を挟んで第１及び第２セパレータ１６６、１６８が配設され、これらが積層されて積層体１７０が構成される。積層体１７０の矢印Ｂ方向の一端縁部には、空気出口連通孔４８ｂ及び空気入口連通孔４８ａが設けられる。積層体１７０の矢印Ｂ方向の他端縁部には、空気オフガス出口連通孔５０ｂ及び空気オフガス入口連通孔５０ａが設けられる。
【００６８】
第１セパレータ１６６の両面には、矢印Ｂ方向に二往復するサーペンタイン流路である第１及び第２流路１７２、１７４が設けられる。第２セパレータ１６８の両面には、矢印Ｂ方向に二往復するサーペンタイン流路である第３及び第４流路１７６、１７８が設けられる。
【００６９】
燃料電池１２の酸化剤ガス供給連通孔２６ａと加湿器１６２の空気出口連通孔４８ｂ、及び前記燃料電池１２の酸化剤ガス排出連通孔２６ｂと前記加湿器１６２の空気オフガス入口連通孔５０ａとは、それぞれ積層方向（矢印Ａ方向）に沿って同一直線上に配置される。
【００７０】
このように構成される第４の実施形態では、上記の第１〜第３の実施形態と同様の効果が得られる。
【００７１】
図１５は、本発明の第５の実施形態に係る燃料電池システム１８０の概略斜視説明図である。
【００７２】
燃料電池システム１８０は、固体高分子型燃料電池１８２と平膜型加湿器１８４とを備える。燃料電池１８２は、矢印Ａ方向に積層される発電セル１８６を設けるとともに、前記発電セル１８６は、図１６に示すように、電解質膜・電極構造体２０を挟持するセパレータ１８８、１９０を備える。
【００７３】
発電セル１８６の長辺方向の一端縁部には、矢印Ａ方向に互いに連通して、酸化剤ガス供給連通孔２６ａ及び酸化剤ガス排出連通孔２６ｂが設けられる。発電セル１３６の長辺方向の他端縁部には、矢印Ａ方向に互いに連通して、燃料ガス供給連通孔３０ａ及び燃料ガス排出連通孔３０ｂが設けられる。
【００７４】
セパレータ１８８の電解質膜・電極構造体２０に向かう面には、燃料ガス供給連通孔３０ａ及び燃料ガス排出連通孔３０ｂに連通する略Ｕ字状の燃料ガス流路３２ａが形成される。セパレータ１９０の電解質膜・電極構造体２０に向かう面には、酸化剤ガス供給連通孔２６ａ及び酸化剤ガス排出連通孔２６ｂに連通する略Ｕ字状の酸化剤ガス流路３６ａが形成される。
【００７５】
図１７に示すように、加湿器１８４は、水透過性膜１９２を挟んで第１及び第２セパレータ１９４、１９６が配設され、これらが積層されて積層体１９８が構成される。積層体１９８の矢印Ｂ方向の一端縁部には、空気出口連通孔４８ｂ及び空気オフガス入口連通孔５０ａが設けられる。積層体１９８の矢印Ｂ方向の他端縁部には、空気オフガス出口連通孔５０ｂ及び空気入口連通孔４８ａが設けられる。
【００７６】
第２セパレータ１９６の両面には、反応前の空気を流すサーペンタイン流路である第１及び第２流路２００、２０２が設けられる。第１セパレータ１９４の両面には、空気オフガスを流すサーペンタイン流路である第３及び第４流路２０４、２０６が設けられる。
【００７７】
燃料電池１８２の酸化剤ガス供給連通孔２６ａと加湿器１８４の空気出口連通孔４８ｂ、及び前記燃料電池１８２の酸化剤ガス排出連通孔２６ｂと前記加湿器１８４の空気オフガス入口連通孔５０ａとは、それぞれ積層方向（矢印Ａ方向）に沿って同一直線上に配置される。
【００７８】
このように構成される第５の実施形態では、上記の第１〜第４の実施形態と同様の効果が得られる。
【００７９】
なお、第１〜第５の実施形態では、反応前の空気を空気オフガスで加湿する構成を採用しているが、これに限定されるものではない。例えば、反応前の空気を燃料オフガス（反応後の燃料ガス）で加湿する構成、反応前の燃料ガスを空気オフガスで加湿する構成、又は反応前の燃料ガスを燃料オフガスで加湿する構成等を採用してもよい。さらに、流路形状は、略Ｕ字状やサーペンタインに限定されず、種々の形状が採用可能である。
【図面の簡単な説明】
【００８０】
【図１】本発明の第１の実施形態に係る燃料電池システムの概略構成説明図である。
【図２】前記燃料電池システムの概略斜視説明図である。
【図３】前記燃料電池システムを構成する発電セルの要部分解斜視図である。
【図４】前記燃料電池システムを構成する加湿器の一部分解斜視説明図である。
【図５】前記燃料電池システムを構成する加湿器の一部断面説明図である。
【図６】前記燃料電池システムの要部を説明する一部断面図である。
【図７】本発明の第２の実施形態に係る燃料電池システムの概略斜視説明図である。
【図８】前記燃料電池システムを構成する発電セルの要部分解斜視図である。
【図９】前記燃料電池システムを構成する加湿器の一部分解斜視説明図である。
【図１０】本発明の第３の実施形態に係る燃料電池システムの概略斜視説明図である。
【図１１】前記燃料電池システムを構成する発電セルの要部分解斜視図である。
【図１２】前記燃料電池システムを構成する加湿器の一部分解斜視説明図である。
【図１３】本発明の第４の実施形態に係る燃料電池システムの概略斜視説明図である。
【図１４】前記燃料電池システムを構成する加湿器の一部分解斜視説明図である。
【図１５】本発明の第５の実施形態に係る燃料電池システムの概略斜視説明図である。
【図１６】前記燃料電池システムを構成する発電セルの要部分解斜視図である。
【図１７】前記燃料電池システムを構成する加湿器の一部分解斜視説明図である。
【図１８】特許文献１の燃料電池スタックの概略構成説明図である。
【符号の説明】
【００８１】
１０、１００、１３０、１６０、１８０…燃料電池システム
１２、１０２、１３２、１８２…燃料電池
１４、１０４、１３４、１６２、１８４…加湿器
１６、１０６、１３６、１８６…発電セル
１８ａ〜１８ｃ…エンドプレート      ２０ａ…固体高分子電解質膜
２０ｂ…アノード側電極              ２０ｃ…カソード側電極
２２、２４、４２、４４、１０８、１１０、１１４、１１６、１４４、１４６、１６６、１６８、１８８、１９０、１９４、１９６…セパレータ
２６ａ…酸化剤ガス供給連通孔        ２６ｂ…酸化剤ガス排出連通孔
２８ａ…冷却媒体供給連通孔          ２８ｂ…冷却媒体排出連通孔
３０ａ…燃料ガス供給連通孔          ３０ｂ…燃料ガス排出連通孔
３２、３２ａ…燃料ガス流路          ３４…冷却媒体流路
３６、３６ａ…酸化剤ガス流路
４０、１１２、１４２、１６４、１９２…水透過性膜
４６、１１８、１４８、１７０、１９８…積層体
４８ａ…空気入口連通孔              ４８ｂ…空気出口連通孔
５０ａ…空気オフガス入口連通孔      ５０ｂ…空気オフガス出口連通孔
５２、５４、５６、５８、１２０、１２２、１２４、１２６、１５０、１５２、１５４、１５６、１７２、１７４、１７６、１７８、２００、２０２、２０４、２０６…流路
７０…酸化剤ガス供給系              ７２…燃料ガス供給系
７４…冷却媒体供給系
【図１】
2007095352.tif 000003
【図２】
2007095352.tif 000004
【図３】
2007095352.tif 000005
【図４】
2007095352.tif 000006
【図５】
2007095352.tif 000007
【図６】
2007095352.tif 000008
【図７】
2007095352.tif 000009
【図８】
2007095352.tif 000010
【図９】
2007095352.tif 000011
【図１０】
2007095352.tif 000012
【図１１】
2007095352.tif 000013
【図１２】
2007095352.tif 000014
【図１３】
2007095352.tif 000015
【図１４】
2007095352.tif 000016
【図１５】
2007095352.tif 000017
【図１６】
2007095352.tif 000018
【図１７】
2007095352.tif 000019
【図１８】
2007095352.tif 000020